(57)【要約】【課題】セメントを混練する際に任意の硬さに調整することができるセメント混練装置を提供する。【解決手段】圧縮用ケーシング１０の先端開口部１３を施蓋する閉塞板体２１を設ける。閉塞板体２０を変更自在な押圧力で支持する押圧機構２０を設ける。押圧機構２０に装着された荷重計量器３０を設ける。押圧機構２０が所定の押圧力で閉塞板体２１の施蓋を支持するように構成する。閉塞板体２１が開口したときの圧力を荷重計量器３０で計測するように構成する。【選択図】図１
2020163659.tif 000002
【特許請求の範囲】
【請求項１】
圧縮用ケーシング内のセメントを圧縮用回転羽根体で混練しながら先端側に送り込み任意の硬さに加圧するセメント混練装置であって、
圧縮用ケーシングの先端開口部を開閉自在に施蓋する閉塞板体を備え、該閉塞板体を圧縮用ケーシングの先端方向から変更自在な押圧力で支持する押圧機構と、
該押圧機構に装着された荷重計量器と、を備え、
押圧機構が所定の押圧力で閉塞板体の施蓋を支持すると共に、圧縮用ケーシング内の加圧されたセメントにより閉塞板体が開口したときの圧力を荷重計量器で計測するように構成したことを特徴とするセメント混練装置。
【請求項２】
前記押圧機構は、前記閉塞板体に一端部が連結された複数本の支持杆体と、
該支持杆体の他端部側に設置され該支持杆体をスライド自在に挿通する挿通孔を有する支持盤体と、
該支持盤体と閉塞板体との間の支持杆体に外嵌され施蓋時の閉塞板体を押圧付勢するコイルスプリングと、
支持杆体に装着したコイルスプリングの押圧力を調整する圧縮調整具と、を備えた請求項１記載のセメント混練装置。
【請求項３】
前記荷重計量器は、前記閉塞板体から前記荷重計量器に連結された計測杆体を備え、圧縮用ケーシング内の加圧されたセメントにより閉塞板体が開口したときの該計測杆体の移動距離から圧力を計測するように構成された請求項１記載のセメント混練装置。
【発明の詳細な説明】
【技術分野】
【０００１】
本発明は、セメント混練時の圧縮力を変更して使用目的に応じた硬さのセメントを提供することができるセメント混練装置に関するものである。
【背景技術】
【０００２】
コンクリートの強度はセメントと水の重量割合（水セメント比）によって決まるもので、水セメント比が小さい（セメント水比が大きい）ほど、コンクリートの強さが大きくなる。したがって、少ない水で練るほど強いコンクリートが得られるため、強固なコンクリート構造物を造るには、できるだけ水の少ないコンクリートを十分に締め固めることが必要になる。
【０００３】
ところが、水の量を少なくし過ぎるとコンクリートの流動性が悪くなってしまうため、作業性が悪くなり、コンクリートが隅まで行き渡らないなどの弊害も出てしまう。そこで、実際の作業では、使用目的に応じて適度の軟らかさに調整したコンクリートを使用している。
【０００４】
当出願人は、圧縮エアーを利用して法面等に吹付ける造粒セメントを搬送する送給装置を提案している（特許文献１）。この送給装置は、送給物となるセメント等を供給機構（Ａ）によって撹拌し、撹拌したセメント等を搬送・圧縮用ケーシング（１０）の先端がわに送りながら加圧し、セメント等が押し固められたときに、開閉機構（Ｃ）の作動で搬送・圧縮用ケーシング（１０）の先端開口部分が開くように構成したものである。
【０００５】
そして、押し固められたセメント等を搬送・圧縮用ケーシング（１０）先端から、解し・エアー混入用ケーシング（４０）内に繰り出し、押し固められたセメント等を再び解すと共に、適宜圧力の搬送用エアーを送給して解されたセメント等を搬送する構成である。この送給装置により、吹付けに適した硬さのセメント等を提供することが可能になっている。
【先行技術文献】
【特許文献】
【０００６】
【特許文献１】特許第４７０２６８３号公報
【発明の概要】
【発明が解決しようとする課題】
【０００７】
ところが、特許文献１の送給装置では、セメント等の硬さを調整するために、搬送・圧縮用ケーシング（１０）内で押し固め、このセメント等を再び解し・エアー混入用ケーシング（４０）内で解すことでセメント等の硬さや粒度を調整する構成のため、使用目的の硬さに調整するまでに時間がかかる不都合があった。
【０００８】
しかも、この送給装置は、吹付け用のセメント等として適した硬さに調整することは可能でも、セメントの圧縮強度を変更して他の目的に適応する硬さのセメントを提供することはできない構成であった。
【０００９】
すなわち、この送給装置では、セメントを押し固める場合に、セメント等が所定の圧力になったときに、開閉機構（Ｃ）の作動で搬送・圧縮用ケーシング（１０）の先端開口部分が開くように構成したものである。
【００１０】
このような開閉機構（Ｃ）は、再び分解するような硬さに予め設定することは可能でも、圧縮強度を自由に変更して使用目的に応じた硬さのセメントを提供することは困難な構成であった。
【００１１】
そこで本発明は、上述の課題を解消すべく創出されたもので、セメントを混練して圧縮する際に、任意の硬さに調整することができ、使用目的に応じた硬さのセメントを提供することができるセメント混練装置の提供を目的とするものである。
【課題を解決するための手段】
【００１２】
上述の目的を達成すべく本発明における第１の手段は、圧縮用ケーシング１０内のセメントを圧縮用回転羽根体１２で混練しながら先端側に送り込み任意の硬さに加圧するセメント混練装置であって、圧縮用ケーシング１０の先端開口部１３を開閉自在に施蓋する閉塞板体２１を備え、該閉塞板体２１を圧縮用ケーシング１０の先端方向から変更自在な押圧力で支持する押圧機構２０と、該押圧機構２０に装着された荷重計量器３０と、を備え、押圧機構２０が所定の押圧力で閉塞板体２１の施蓋を支持すると共に、圧縮用ケーシング１０内の加圧されたセメントＰにより閉塞板体２１が開口したときの圧力を荷重計量器３０で計測するように構成したことにある。
【００１３】
第２の手段の前記押圧機構２０は、前記閉塞板体２１に一端部が連結された複数本の支持杆体２２と、該支持杆体２２の他端部側に設置され該支持杆体２２をスライド自在に挿通する挿通孔２３Ａを有する支持盤体２３と、該支持盤体２３と閉塞板体２１との間の支持杆体２２に外嵌され施蓋時の閉塞板体２１を押圧付勢するコイルスプリング２４と、支持杆体２２に装着したコイルスプリング２４の押圧力を調整する圧縮調整具２５と、を備えたものである。
【００１４】
第３の手段の前記荷重計量器３０は、前記閉塞板体２１から前記荷重計量器３０に連結された計測杆体３１を備え、圧縮用ケーシング１０内の加圧されたセメントにより閉塞板体２１が開口したときの該計測杆体３１の移動距離から圧力を計測するように構成したものである。
【発明の効果】
【００１５】
本発明の請求項１に記載のごとく、押圧機構２０が所定の押圧力で閉塞板体２１の施蓋を支持すると共に、圧縮用ケーシング１０内の加圧されたセメントにより閉塞板体２１が開口したときの圧力を荷重計量器３０で計測するように構成したことにより、任意の硬さのセメントＰが閉塞板体２１を開口したときの圧力を計測することができる。したがって、閉塞板体２１が開口する圧力を調整することで、セメントを混練する際に、使用目的に適応する任意の硬さに調整することが可能になった。
【００１６】
請求項２のように、押圧機構２０は、支持盤体２３と閉塞板体２１との間の複数本の支持杆体２２に外嵌され施蓋時の閉塞板体２１を押圧付勢するコイルスプリング２４と、支持盤体２３の挿通孔２３Ａから突出する支持杆体２２の他端部側の長さを調整自在に固定する圧縮調整具２５と、を備えているので、コイルスプリング２４の弾性強度や使用本数を変更することで、任意の支持圧力に設定するのが容易になる。この結果、使用目的の硬さに適応した圧力調整が可能になる。
【００１７】
請求項３のごとく、荷重計量器３０は、圧縮用ケーシング１０内の加圧されたセメントにより閉塞板体２１が開口したときの計測杆体３１の移動距離から圧力を計測杆体３１で計測するように構成しているので、目的の硬さのセメントが排出されたときの圧力を計測することができる。したがって、この荷重計量器３０の計測値により、使用目的ごとに適応するセメントの硬さを再現することができるものである。
【００１８】
このように本発明によると、セメントを混練して圧縮する際に、任意の硬さに調整することができるといった当初の目的を達成した。
【図面の簡単な説明】
【００１９】
【図１】本発明の一実施例を示す正断面図である。
【図２】本発明の一実施例を示す平断面図である。
【図３】本発明の一実施例を示す側面図である。
【図４】本発明の閉塞板体の施蓋状態を示す要部断面図である。
【図５】本発明の閉塞板体の開口状態を示す要部断面図である。
【発明を実施するための形態】
【００２０】
本発明は、圧縮用ケーシング１０内のセメントＰを圧縮用回転羽根体１２で混練しながら先端側に送り込むことで、セメントを任意の硬さに加圧するセメント混練装置である。本発明の基本構成は、圧縮用ケーシング１０、押圧機構２０、荷重計量器３０を備えたものである（図１参照）。
【００２１】
圧縮用ケーシング１０は、セメントＰ等の材料を供給するホッパー１の下に設置される管状部材で、圧縮用ケーシング１０の基端部側の投入口１１に、ホッパー１からセメントＰ等が供給される（図２参照）。この圧縮用ケーシング１０の内部には、圧縮用回転羽根体１２が装着されている。そして、投入されたセメントＰ等を圧縮用ケーシング１０の先端側に送り込み、混練しながら先端側でセメントＰ等を圧縮するように構成したものである（図１参照）。
【００２２】
押圧機構２０は、圧縮用ケーシング１０の先端開口部１３を開閉自在に施蓋する閉塞板体２１を備えたもので、圧縮用ケーシング１０の先端方向から閉塞板体２０を変更自在な押圧力で支持する機構である（図１参照）。この押圧機構２０は、閉塞板体２１の他に、支持杆体２２、支持盤体２３、コイルスプリング２４、圧縮調整具２５を備えている。
【００２３】
支持杆体２２は、閉塞板体２１に一端部が連結された複数本の杆状部材で、この支持杆体２２の他端部側に支持盤体２３が設置されている（図４参照）。支持盤体２３には、支持杆体２２をスライド自在に挿通する挿通孔２３Ａが形成されている。更に、支持盤体２３と閉塞板体２１との間の支持杆体２２に、コイルスプリング２４を外嵌し、このコイルスプリング２４の押圧付勢力で施蓋時の閉塞板体２１を支持する。
【００２４】
図示の閉塞板体２１には、支持杆体２２と共に軸支杆体２６を固定し、この軸支杆体２６を支持盤体２３の中心部にスライド自在に挿通している（図３参照）。更に、この支持盤体２３の周囲縁に沿って複数本の支持杆体２２を装着し、これらの支持杆体２２を選択して任意の数や太さのコイルスプリング２４を装着する。このような構成により、コイルスプリング２４による圧力調整の幅を広げている。
【００２５】
更に、押圧機構２０には、このコイルスプリング２４の押圧力を調整する圧縮調整具２５と、この押圧力を計測する荷重計量器３０とが備えられている（図１参照）。
【００２６】
図示の圧縮調整具２５は、ボルト状を成した支持杆体２２の端部にネジ止めされたナットを使用している（図４参照）。そして、この圧縮調整具２５で支持盤体２３と閉塞板体２１との距離を調節することで、コイルスプリング２４の圧縮力を調整するものである。
【００２７】
本発明では、押圧機構２０が閉塞板体２１の施蓋を支持すると共に、閉塞板体２１が開口したときの圧力を荷重計量器３０で計測するように構成したものである（図５参照）。この荷重計量器３０は、圧縮調整具２５で予めコイルスプリング２４の位置を調整したときに、このコイルスプリング２４の圧縮力も計測する構成になっている。
【００２８】
図示の荷重計量器３０は、閉塞板体２１から荷重計量器３０に連結され、支持盤体２３を貫通する計測杆体３１を備えている（図４参照）。更に、この荷重計量器３０は載置台２７の上にスライド自在に載置され、支持盤体２３を貫通するスライド杆体３２を備えている。そして、閉塞板体２１の移動と共に、この計測杆体３１が移動して荷重計量器３０を押圧することで、荷重計量器３０が移動しながら押圧力を測定するものである。この荷重計量器３０としてロードセルを使用しているが、他の圧力計測機を荷重計量器３０として使用することも可能である。
【００２９】
本発明では、セメントＰを圧縮する押圧力を調整することでセメントＰを所定の硬さに圧縮するものである。すなわち、施蓋状態の閉塞板体２１が開いたときのセメントＰの押圧力が、混練されたセメントＰを圧縮した最大圧力になる。目的の硬さのセメントＰが先端開口部１３から押し出された時点の圧力を、荷重計量器３０が計測することで、各種用途に適した硬さのセメントＰを提供することが可能になる。
【００３０】
本発明のセメントＰとは、ポルトランドセメントの他、混合セメントやエコセメント、あるいはセメントに特殊な吸収材等を添加した造粒セメントなどを選択できる。またこのセメントＰに、緑化用客土や堆肥等の任意の混合材を混合することも可能である。
【００３１】
尚、本発明において、図示の構成に限定されるものではなく、圧縮用ケーシング１０や押圧機構２０、荷重計量器３０等の構成は、本発明の要旨を変更しない範囲での設計変更は自由に行える。
【符号の説明】
【００３２】
Ｐ  セメント
１  ホッパー
１０  圧縮用ケーシング
１１  投入口
１２  圧縮用回転羽根体
１３  先端開口部
２０  押圧機構
２１  閉塞板体
２２  支持杆体
２３  支持盤体
２３Ａ  挿通孔
２４  コイルスプリング
２５  圧縮調整具
２６  軸支杆体
２７  載置台
３０  荷重計量器
３１  計測杆体
３２  スライド杆体
【図１】
2020163659.tif 000003
【図２】
2020163659.tif 000004
【図３】
2020163659.tif 000005
【図４】
2020163659.tif 000006
【図５】
2020163659.tif 000007